(57)【特許請求の範囲】
【請求項１】
飲料などの液体を、カップの内側に向けて前傾姿勢に配置したノズル本体に設けた吐出口から該カップに注出する液体注出ノズルであって、前記吐出口から注出される前記液体の注出方向とは相反する方向に向けて下向き傾斜させた底面を有する液体ガイドの前記注出方向の先端部を、前記吐出口下端の先端部より所定寸法突設させてなる液体注出ノズルにおいて、前記液体ガイドは、パイプ状のノズル本体の内部に形成された液体通路の径よりも狭幅の厚みを有し、かつ、その底面および側面下部に、流下する液体を前記カップの外側に向けて誘導する液体誘導溝を有することを特徴とする液体注出ノズル。
【請求項２】
前記液体ガイドは、前記吐出口の外径とは隙間を有して設けたことを特徴とする請求項１に記載の液体注出ノズル。
【請求項３】
液体注出ノズルのノズル本体に設けた吐出口から飲料などの液体をカップに注出して販売するカップ式自動販売機であって、前記吐出口から注出される前記液体の注出方向とは相反する方向に向けて下向き傾斜させた底面を有する液体ガイドの前記注出方向の先端部を、前記吐出口下端の先端部より所定寸法突設させた液体注出ノズルを備えたカップ式自動販売機において、前記液体注出ノズルの液体ガイドは、パイプ状のノズル本体の内部に形成された液体通路の径よりも狭幅の厚みを有し、かつ、その底面および側面下部に、流下する液体を前記カップの外側に向けて誘導する液体誘導溝を有することを特徴とするカップ式自動販売機。
【発明の詳細な説明】
【技術分野】
【０００１】
本発明は、機内で調製した飲料などの液体をカップに注出する液体注出ノズル、および、液体注出ノズルを備えたカップ式自動販売機に関する。
【背景技術】
【０００２】
カップ式自動販売機では、カップを載置するベンドステージにコーヒー飲料、シロップ、シロップ希釈用冷水、炭酸水などを注出する液体注出ノズルの吐出口をカップの内側に向けて前傾姿勢に配置している。
【０００３】
係る構成で、コーヒー飲料はコーヒーブリュアで抽出したコーヒー液とキャニスタから供給した砂糖やクリームをミキシングボウルで攪拌混合して液体注出ノズルからカップに注出する。一方、シロップ飲料は、シロップ、冷水または炭酸水および氷をカップに供給し、カップ内でこれらを攪拌混合して飲料としている。
【０００４】
このように、ベンドステージに載置したカップには、コーヒー液と砂糖、クリームを攪拌混合したコーヒー飲料、シロップ、冷水、炭酸水などが液体注出ノズルからカップに注出され、カップ式自動販売機の利用者に提供される。
【０００５】
ベンドステージに載置したカップにコーヒー飲料、シロップ、冷水、炭酸水などを液体注出ノズルからカップに注出した飲料注出動作の終了後には飲料の表面張力により吐出口の外径下端にこれら飲料の残りが維持され、これが後垂れ液（しずくになって落ちる液体）として滴下してカップの縁や外側面を汚したり、次に販売する飲料に混入したり、さらには、吐出口の外径下端にこれら飲料が固着する虞がある。
【０００６】
このように飲料注出動作の終了後の後垂れ液がカップの縁に滴下すると見た目が悪くなるとともに、この後垂れ液がカップ外側面に流れると、利用者がカップを取り出すときに手に飲料が付着するなどの不都合が生じる。また、次に販売する飲料に混入すると味に変化を生じさせることとなる。
【０００７】
このようなことを防ぐため、液体注出ノズルの吐出口の外径下端に液体ガイドを設け、飲料注出動作終了後の後垂れ液を液体ガイドの底面に沿わせて流下させ、カップの外側に滴下させるようにした提案がなされている（例えば、特許文献１参照）。
【先行技術文献】
【特許文献】
【０００８】
【特許文献１】特開２０１０−１８１９２５号公報
【発明の概要】
【発明が解決しようとする課題】
【０００９】
しかしながら、飲料注出動作終了間際の飲料は、図８に示すように、液体注出ノズル６０の吐出口６１から略鉛直線に沿って流下し、カップＣの縁や外側面を汚すなどの不都合を生じ、液体ガイド６２は飲料注出動作終了間際の飲料をカップの外側に流下させることができなかった。また、飲料注出動作の終了後の後垂れ液が液体ガイド６２の途中から滴下することがあった。
【００１０】
本発明は、上記実情に鑑みて、飲料注出時にはカップ内に飲料を注出し、飲料注出動作終了間際以降にカップの縁や外側面を汚すことのない液体注出ノズルおよびこれを備えたカップ式自動販売機を提供することを目的とする。
【課題を解決するための手段】
【００１１】
上記の目的を達成するために、本発明の請求項１に係る液体注出ノズルは、飲料などの液体を、カップの内側に向けて前傾姿勢に配置したノズル本体に設けた吐出口から該カップに注出する液体注出ノズルであって、前記吐出口から注出される前記液体の注出方向とは相反する方向に向けて下向き傾斜させた底面を有する液体ガイドの前記注出方向の先端部を、前記吐出口下端の先端部より所定寸法突設させてなる液体注出ノズルにおいて、前記液体ガイドは、パイプ状のノズル本体の内部に形成された液体通路の径よりも狭幅の厚みを有し、かつ、その底面および側面下部に、流下する液体を前記カップの外側に向けて誘導する液体誘導溝を有することを特徴とする。
【００１３】
また、本発明の請求項２に係る液体注出ノズルは、上述した請求項１において、前記液体ガイドは、前記吐出口の外径とは隙間を有して設けたことを特徴とする。
【００１４】
また、本発明の請求項３に係るカップ式自動販売機は、液体注出ノズルのノズル本体に設けた吐出口から飲料などの液体をカップに注出して販売するカップ式自動販売機であって、前記吐出口から注出される前記液体の注出方向とは相反する方向に向けて下向き傾斜させた底面を有する液体ガイドの前記注出方向の先端部を、前記吐出口下端の先端部より所定寸法突設させた液体注出ノズルを備えたカップ式自動販売機において、前記液体注出ノズルの液体ガイドは、パイプ状のノズル本体の内部に形成された液体通路の径よりも狭幅の厚みを有し、かつ、その底面および側面下部に、流下した液体を前記カップの外側に向けて誘導する液体誘導溝を有することを特徴とする。
【発明の効果】
【００１５】
請求項１の発明によれば、飲料などの液体を、カップの内側に向けて前傾姿勢に配置したノズル本体に設けた吐出口から該カップに注出する液体注出ノズルであって、前記吐出口から注出される前記液体の注出方向とは相反する方向に向けて下向き傾斜させた底面を有する液体ガイドの前記注出方向の先端部を、前記吐出口下端の先端部より所定寸法突設させてなる液体注出ノズルにおいて、前記液体ガイドは、パイプ状のノズル本体の内部に形成された液体通路の径よりも狭幅の厚みを有し、かつ、その底面および側面下部に、流下した液体を前記カップの外側に向けて誘導する液体誘導溝を有することにより、飲料などの液体の注出時は、吐出口からカップ内に飲料などの液体が注出される。また、飲料注出動作終了間際の飲料は、吐出口下端の先端部より突き出ている液体ガイドの先端部の上部に流下し、液体ガイドの先端部からその底面および側面下部に形成した液体誘導溝を伝わって速やかに流下し、液体ガイドの途中から流下することなくカップの外側に流れ落ちる。さらに、飲料注出動作の終了後の流下する液体も、液体ガイドの先端部の上部に滴下し、液体ガイドの先端部からその底面および側面下部に形成した液体誘導溝を伝わって速やかに流下し、液体ガイドの途中から流下することなくカップの外側に滴下するので、飲料注出時にはカップ内に飲料を注出し、飲料注出動作終了間際以降にカップの縁や外側面を飲料で汚すことのない液体注出ノズルを提供することが可能となる。
【００１７】
また、請求項２の発明によれば、前記液体ガイドは、前記吐出口の外径とは隙間を有して設けたことにより、飲料注出動作終了間際の飲料や飲料注出動作の終了後の後垂れ液が液体ガイド全体に拡がることを防ぎ、吐出口下端の先端部から液体ガイドの先端部に流下し易くなり、飲料注出動作終了間際の飲料や飲料注出動作の終了後の後垂れ液をカップの外側に流下させてカップの縁や外側面を飲料で汚すことを防止できる。
【００１８】
また、請求項３の発明によれば、液体注出ノズルのノズル本体に設けた吐出口から飲料などの液体をカップに注出して販売するカップ式自動販売機であって、前記吐出口から注出される前記液体の注出方向とは相反する方向に向けて下向き傾斜させた底面を有する液体ガイドの前記注出方向の先端部を、前記吐出口下端の先端部より所定寸法突設させた液体注出ノズルを備えたカップ式自動販売機において、前記液体注出ノズルの液体ガイドは、パイプ状のノズル本体の内部に形成された液体通路の径よりも狭幅の厚みを有し、かつ、その底面および側面下部に、流下した液体を前記カップの外側に向けて誘導する液体誘導溝を有することにより、飲料などの液体の注出時は、吐出口からカップ内に飲料などの液体が注出される。また、飲料注出動作終了間際の飲料は、吐出口下端の先端部より突き出ている液体ガイドの先端部の上部に流下し、液体ガイドの先端部からその底面および側面下部に形成した液体誘導溝を伝わって速やかに流下し、液体ガイドの途中から流下することなくカップの外側に流れ落ちる。さらに、飲料注出動作の終了後の流下する液体も、液体ガイドの先端部の上部に滴下し、液体ガイドの先端部からその底面および側面下部に形成した液体誘導溝を伝わって速やかに流下し、液体ガイドの途中から流下することなくカップの外側に滴下するので、飲料注出時にはカップ内に飲料を注出し、飲料注出動作終了間際以降にカップの縁や外側面を飲料で汚すことのない液体注出ノズルを備えたカップ式自動販売機を提供することが可能となる。
【図面の簡単な説明】
【００１９】
【図１】本発明の実施形態に係る液体注出ノズルを備えたカップ式自動販売機の液体回路図である。
【図２】本発明の実施形態に係る液体注出ノズルを備えたカップ式自動販売機の側面図である。
【図３】図２に示した液体注出ノズルを備えたカップ式自動販売機の断面側面図である。
【図４】本発明の実施形態に係る液体注出ノズルの注出先端部の拡大図を示し、（ａ）は側面図、（ｂ）は正面図である。
【図５】図２に示した液体注出ノズルの液体（飲料）の注出状態を示す断面側面図である。
【図６】図２に示した液体注出ノズルの飲料注出動作終了間際の液体（飲料）の流れを示す断面側面図である。
【図７】図２に示した液体注出ノズルの飲料注出動作の終了後の後垂れ液を示す断面側面図である。
【図８】従来の液体注出ノズルの飲料注出動作終了間際の液体（飲料）の流れを示す断面側面図である。
【発明を実施するための形態】
【００２０】
以下、図面を参照しながら、本発明の好ましい実施形態を詳細に説明する。なお、この実施形態によりこの発明が限定されるものではない。また、従来と同一構成に関しては同一符号を用いる。
【００２１】
この実施の形態の液体注出ノズル、および、液体注出ノズルを備えたカップ式自動販売機は、機内で調製した飲料や希釈水などの液体をカップに注出するものである。ここでは、カップ式自動販売機に備えられる液体注出ノズルを例に説明するが、カップ式自動販売機に備えられる液体注出ノズルに限られるものではなく、飲料ディスペンサ（飲料供給装置）に備えられる液体注出ノズルに適用することも可能である。
【００２２】
図１は、本発明の実施の形態である液体注出ノズルを備えたカップ式自動販売機１の液体回路構成を示す概念図である。
【００２３】
希釈液供給回路１０は、製氷機２８、カーボネータ１９や温水タンク３０などに水を供給するためのもので、水リザーバ１１、水ポンプ１２、給水弁１３を有している。給水弁１３を開放すると水道水が水リザーバ１１に貯えられ、水ポンプ１２を駆動することによって冷水回路１４または温水回路１５に水が圧送される。冷水回路１４に送られた水は、冷却水槽１６に貯留している冷却水に浸漬した水冷却コイル１７を通流することにより冷却される。
【００２４】
水冷却コイル１７には給水弁１８と冷水管路２０とが接続してあり、給水弁１８にはカップＣに炭酸水を供給するカーボネータ１９が接続され、水ポンプ１２を駆動して給水弁１８を開放するとカーボネータ１９に冷水が供給される。
【００２５】
カーボネータ１９は、冷却水槽１６に浸漬してあり、炭酸ガスボンベ２２から供給された炭酸ガスが冷水に溶解して炭酸水となる。また、カーボネータ１９には、炭酸水弁２３を介して液体注出ノズル４０が接続してあり、炭酸水弁２３を開放すると、炭酸ガスボンベ２２から供給される炭酸ガスの圧力でカーボネータ１９から押し出された炭酸水が液体注出ノズル４０からカップＣに注出される。
【００２６】
冷水管路２０には、冷水弁２１を介して液体注出ノズル４０が接続してあり、コールド飲料注出時（販売時）には水ポンプ１２を駆動して冷水弁２１を開放すると、液体注出ノズル４０からカップＣに冷水を注出する。
【００２７】
また、冷却水槽１６には、複数のシロップ冷却コイル２４が浸漬してあり、シロップ飲料の原液となる各種のシロップがそれぞれ貯蔵してある複数のシロップコンテナ２５がシロップ売切装置２６を介して接続してある。各シロップコンテナ２５は、それぞれ、炭酸ガスボンベ２２から炭酸ガスが供給され、シロップ弁２７を介して液体注出ノズル４０が接続してある。そして、シロップ弁２７を開放すると、シロップコンテナ２５に貯蔵してあるシロップが炭酸ガスボンベ２２から供給される炭酸ガスの圧力で押し出され、シロップ売切装置２６からシロップ冷却コイル２４を通流したシロップは冷却されて、液体注出ノズル４０からカップＣに注出される。
【００２８】
製氷機２８は、製氷部と貯氷庫とを有していて、水リザーバ１１から供給された水を製氷部で製氷して貯氷庫で貯蔵し、アイス飲料を販売するときに貯氷庫に貯蔵している氷をアイスダクト（図示せず）からカップＣに供給する。
【００２９】
給水弁２９を介して温水回路１５に供給された水は、温水タンク３０に貯えられ、温水タンク３０内のヒータ（図示せず）で加熱されて湯になる。温水タンク３０には、複数の湯弁３１が設けてある。各湯弁３１は、湯管路３２によってミキシングボウル３３、３８またはコーヒーブリュア３７に接続してあり、湯弁３１を開放することにより、湯管路３２を通って、ミキシングボウル３３、３８またはコーヒーブリュア３７に湯が供給される。
【００３０】
ミキシングボウル３３は、パウダキャニスタ３４から供給された粉末原料と、温水タンク３０から供給された湯とを攪拌してホット飲料とした後に、液体注出ノズル４０からカップＣに注出する。
【００３１】
コーヒーブリュア３７は、コーヒー豆キャニスタ３５から供給されたコーヒー豆をミル３６で挽いたコーヒー挽き豆に温水タンク３０から供給された湯を注ぐことによりコーヒー液を抽出し、抽出滓は滓バケツ３に廃棄される。また、ミキシングボウル３８が接続してあり、砂糖、クリームなどの粉末原料を貯蔵するパウダキャニスタ３９から供給された粉末原料とコーヒー液とを攪拌したコーヒー飲料を液体注出ノズル４０からカップＣに注出する。
【００３２】
以上説明したカップ式自動販売機１において、ベンドステージ２に載置したカップＣにコーヒー飲料を注出するには、コーヒー豆キャニスタ３５から供給されたコーヒー豆をミル３６で挽いたコーヒー挽き豆をコーヒーブリュア３７に供給する一方、湯弁３１を開放して温水タンク３０に貯えている湯を湯管路３２から供給する。そして、コーヒー挽き豆と湯の混合体からコーヒー液を抽出し、ミキシングボウル３８にコーヒー液を供給する。ミキシングボウル３８では、パウダキャニスタ３９から供給される砂糖、クリームなどの粉末原料とコーヒー液とを攪拌混合した後、液体注出ノズル４０からカップＣにコーヒー飲料を注出する。
【００３３】
また、アイス飲料、例えば炭酸飲料を供給するには、液体注出ノズル４０から濃縮シロップと炭酸水をカップに注出し、さらに氷を供給してカップ内でこれらを攪拌して炭酸飲料とする。
【００３４】
図２は、液体注出ノズル４０を備えたカップ式自動販売機１の内部構造を模式的に示している側面図、図３は、その断面側面図である。また、図４は、液体注出ノズル４０の注出先端部の拡大図を示し、（ａ）は側面図、（ｂ）は正面図である。カップ式自動販売機１は、カップ供給装置（図示せず）から供給されたカップＣを載置するベンドステージ２を備え、その上方には機内で調製したコーヒー飲料やシロップを希釈する冷水、炭酸水などの液体を、カップＣの内側に向けて前傾姿勢に配置したノズル本体４１に設けた吐出口４２からカップＣに注出する液体注出ノズル４０がノズル装着部５０でノズル取り付け部（図示せず）に取り付けられる。
【００３５】
液体注出ノズル４０は、ミキシングボウル３３、３８などに連通されている液体チューブ（図示せず）が一端に接続されるパイプ状のノズル本体４１の内部に形成されている液体通路４１ａの他端に開口した吐出口４２の外径４２ｂの下部に、吐出口４２の外径４２ｂとは隙間４４を有し、吐出口４２から注出される液体の注出方向とは相反する方向に向けて下向き傾斜させた底面４５を有する液体ガイド４３を設けている。
【００３６】
この液体ガイド４３の注出方向の先端部４６は、吐出口４２下端の先端部４２ａより所定寸法Ａ（例えば、２ｍｍ）突き出るように設けている（図４参照）。また、液体ガイド４３の底面４５には液体誘導溝４７を設け、側面４８下部には液体誘導溝４９を設けている。
【００３７】
液体ガイド４３の厚みｔは、液体通路４１ａの径ｄ（例えば、４．５ｍｍ）の４０％〜７０％となるように設けられ、液体通路４１ａの径ｄが４．５ｍｍの場合、液体ガイド４３の厚みｔは、例えば、２ｍｍとしている。また、液体誘導溝４７の幅ｍは、液体ガイド４３の厚みｔの４０％〜６０％となるように設けられ、液体ガイド４３の厚みｔが２ｍｍの場合、液体誘導溝４７の幅ｍは、例えば、１ｍｍとしている。
【００３８】
液体ガイド４３の厚みｔを、液体通路４１ａの径ｄの４０％〜７０％とし、液体誘導溝４７の幅ｍを、液体ガイド４３の厚みｔの４０％〜６０％とすることにより、液体注出ノズル４０からの飲料注出動作終了間際の飲料は、吐出口４２下端の先端部４２ａより突き出ている液体ガイド４３の先端部４６の上部４６ａに流下し、ノズル４１と略同じ角度でカップの内側に向けて前傾している上部４６ａから先端部４６に流れ、先端部４６から液体誘導溝４７、４９を伝わって流下し、液体ガイド４３の途中から流下することなく、カップＣの外側に流れ落ちる。
【００３９】
このように、コーヒー飲料などの液体を、カップＣの内側に向けて前傾姿勢に配置したノズル本体４１に設けた吐出口４２からカップＣに注出する液体注出ノズル４０の吐出口４２の外径４２ｂの下部に、吐出口４２の外径４２ｂとは隙間４４を有し、吐出口４２から注出される液体の注出方向とは相反する方向に向けて下向き傾斜させた底面４５を有する液体ガイド４３を設け、この液体ガイド４３の注出方向の先端部４６を、吐出口４２下端の先端部４２ａより所定寸法Ａ（例えば、２ｍｍ）突き出るようにし、液体ガイド４３の底面４５には液体誘導溝４７を設け、側面４８下部には液体誘導溝４９を設けているので、液体注出ノズル４０から飲料などの液体をカップＣに注出する時は、図５に示しているように、飲料などの液体の流れは吐出口４２からカップＣに注出される。
【００４０】
そして、液体注出ノズル４０からの飲料注出動作終了間際の飲料は、図６に示しているように、吐出口４２下端の先端部４２ａより突き出ている液体ガイド４３の先端部４６の上部４６ａに流下し、ノズル４１と略同じ角度でカップの内側に向けて前傾している上部４６ａから先端部４６に流れ、先端部４６から液体誘導溝４７、４９を伝わって流下し、液体ガイド４３の途中から流下することなく、カップＣの外側に流れ落ちる。
【００４１】
さらに、飲料注出動作の終了後の後垂れ液も、図７に示しているように、液体ガイド４３の先端部４６の上部４６ａに滴下し、上部４６ａから先端部４６に流れ、先端部４６から液体誘導溝４７、４９を伝わって流下し、液体ガイド４３の途中から滴下することなく、カップＣの外側に滴下するので、飲料注出時にはカップＣ内に飲料を注出し、飲料注出動作終了間際以降にカップＣの縁や外側面を汚すことのない液体注出ノズル４０、および、液体注出ノズル４０を備えたカップ式自動販売機１を提供することができる。
【００４２】
以上説明したように本発明によれば、飲料などの液体を、カップＣの内側に向けて前傾姿勢に配置したノズル本体４１に設けた吐出口４２からカップＣに注出する液体注出ノズル４０において、吐出口４２から注出される液体の注出方向とは相反する方向に向けて下向き傾斜させた底面４５を有する液体ガイド４３の注出方向の先端部４６を、吐出口４２下端の先端部４２ａより所定寸法Ａ（例えば、２ｍｍ）突設させたことにより、飲料などの液体の注出時は、吐出口４２からカップＣ内に飲料などの液体が注出される。また、飲料注出動作終了間際の飲料は、吐出口４２下端の先端部４２ａより突き出ている液体ガイド４３の先端部４６の上部４６ａに流下し、液体ガイド４３の先端部４６から底面４５を伝わって流下し、カップＣの外側に流れ落ちる。さらに、飲料注出動作の終了後の後垂れ液も、液体ガイド４３の先端部４６の上部４６ａに滴下し、液体ガイド４３の先端部４６から底面４５を伝わって流下し、カップＣの外側に滴下するので、飲料注出時にはカップＣ内に飲料を注出し、飲料注出動作終了間際以降にカップＣの縁や外側面を飲料で汚すことのない液体注出ノズル４０を提供することが可能となる。
【００４３】
また、液体ガイド４３の底面４５および／または側面４８下部に、液体をカップＣの外側に向けて誘導する液体誘導溝４７、４９を設けたことにより、飲料注出動作終了間際の飲料は、吐出口４２下端の先端部４２ａより突き出ている液体ガイド４３の先端部４６の上部４６ａに流下し、液体ガイド４３の先端部４６から液体誘導溝４７、４９を伝わって速やかに流下し、液体ガイド４３の途中から流下することなく、カップＣの外側に流れ落ちる。また、飲料注出動作の終了後の後垂れ液も、液体ガイド４３の先端部４６から液体誘導溝４７、４９を伝わって速やかに流下し、液体ガイド４３の途中から滴下することなく、カップＣの外側に滴下する。このように液体ガイド４３の底面４５および／または側面４８下部に液体誘導溝４７、４９を設けたことにより、飲料注出動作終了間際の飲料や飲料注出動作の終了後の後垂れ液を速やかにカップＣの外側に導いて流下させ、カップＣの縁や外側面が飲料で汚れることを防止できる。
【００４４】
また、液体ガイド４３は、吐出口４２の外径４２ｂとは隙間４４を有して設けたことにより、飲料注出動作終了間際の飲料や飲料注出動作の終了後の後垂れ液が液体ガイド４３全体に拡がることを防ぎ、吐出口４２下端の先端部４２ａから液体ガイド４３の先端部４６の上部４６ａに流下し易くなり、飲料注出動作終了間際の飲料や飲料注出動作の終了後の後垂れ液をカップＣの外側に流下させてカップＣの縁や外側面を飲料で汚すことを防止できる。
【００４５】
また、液体注出ノズル４０のノズル本体４１に設けた吐出口４２から飲料などの液体をカップＣに注出して販売するカップ式自動販売機１において、吐出口４２から注出される液体の注出方向とは相反する方向に向けて下向き傾斜させた底面４５を有する液体ガイド４３の注出方向の先端部４６を、吐出口４２の先端部４２ａより所定寸法Ａ（例えば、２ｍｍ）突設させた液体注出ノズル４０を備えたことにより、飲料などの液体の注出時は、吐出口４２からカップＣ内に飲料などの液体が注出される。また、飲料注出動作終了間際の飲料は、吐出口４２下端の先端部４２ａより突き出ている液体ガイド４３の先端部４６の上部４６ａに流下し、液体ガイド４３の先端部４６から底面４５を伝わって流下し、カップＣの外側に流れ落ちる。さらに、飲料注出動作の終了後の後垂れ液も、液体ガイド４３の先端部４６の上部４６ａに滴下し、液体ガイド４３の先端部４６から底面４５を伝わって流下し、カップＣの外側に滴下するので、飲料注出時にはカップＣ内に飲料を注出し、飲料注出動作終了間際以降にカップＣの縁や外側面を飲料で汚すことのない液体注出ノズル４０を備えたカップ式自動販売機１を提供することが可能となる。
【符号の説明】
【００４６】
１      カップ式自動販売機
４０      液体注出ノズル
４１      ノズル本体
４１ａ    液体通路
４２      吐出口
４２ａ    先端部
４２ｂ    外径
４３      液体ガイド
４４      隙間
４５      底面
４６      先端部
４７      液体誘導溝
４８      側面
４９      液体誘導溝
Ｃ        カップ
【図１】
0005928157.tif 000002
【図２】
0005928157.tif 000003
【図３】
0005928157.tif 000004
【図４】
0005928157.tif 000005
【図５】
0005928157.tif 000006
【図６】
0005928157.tif 000007
【図７】
0005928157.tif 000008
【図８】
0005928157.tif 000009